(57)【特許請求の範囲】
【請求項１】
円盤状の台金の外周縁に形成された刃部にチップがロウ付け固定された刈払機用のチップソーにおいて、前記台金の中心から所定半径の円環状部分に、幅の狭い棒状の図柄と幅の広い棒状の図柄を組み合わせた図柄からなり、チップソーが所定の回転数の時にその回転状態を指示する回転状態指示手段を設けたことを特徴とする、刈払機用のチップソー。
【請求項２】
円盤状の台金の外周縁に形成された刃部にチップがロウ付け固定された刈払機用のチップソーにおいて、前記台金の中心から所定半径の円環状部分に、幅の狭い開口部と幅の広い開口部を交互に有する複数の開口部からなり、チップソーが所定の回転数の時にその回転状態を指示する回転状態指示手段を設けたことを特徴とする、刈払機用のチップソー。
【請求項３】
円盤状の台金の外周縁に形成された刃部にチップがロウ付け固定された刈払機用のチップソーにおいて、前記台金の中心から所定半径の円環状部分に、複数の開口部に埋め込まれた着色された樹脂からなり、チップソーが所定の回転数の時にその回転状態を指示する回転状態指示手段を設けたことを特徴とする、刈払機用のチップソー。
【請求項４】
円盤状の台金の外周縁に形成された刃部にチップがロウ付け固定された刈払機用のチップソーにおいて、前記台金の中心から所定半径の円環状部分に、チップソーの下限の常用回転数と上限の常用回転数をそれぞれ指示する複数列の図柄からなる回転状態指示手段を設けたことを特徴とする、刈払機用のチップソー。
【発明の詳細な説明】
【０００１】
【産業上の利用分野】
本発明は、刈払機の刈刃として使用される、刈払機用のチップソーに関する。
【０００２】
【従来の技術】
従来、雑草又は立木等の刈払い作業に使用する刈払機には、エンジン付きの刈払機が使用され、その刈刃としてチップソーが使用されている。このチップソーは、一般的に均一した厚さの鋼板をプレスで打ち抜いて台金を成形し、この台金の外周縁の刃部に多数のチップをロウ付け固定したものである。
【０００３】
【発明が解決しようとする課題】
しかしながら、このチップソーにあっては、回転状態を容易に把握できないという問題点があった。即ち、エンジン付きの刈払機には、上限及び下限からなる常用回転数が規定されているが、実際の作業現場において、この回転数を把握するのは極めて困難であり、チップソーの回転音やエンジン音によって大まかな状態を確認して作業をしているのが実状である。そのため、エンジンの回転数が極端に高い状態で作業をする場合があり、この場合に、エンジンへの負担を増加させると共に、燃料の無駄が発生し易い。
【０００４】
本発明は、このような事情に鑑みてなされたもので、その目的は、チップソーの回転状態を容易に把握することができ、刈払機のエンジンへの負担を軽減させ得ると共に、燃料の無駄の発生を防止し得る、刈払機用のチップソーを提供することにある。
【０００５】
【課題を解決するための手段】
かかる目的を達成すべく、請求項１記載の刈払機用のチップソーは、円盤状の台金の外周縁に形成された刃部にチップがロウ付け固定された刈払機用のチップソーにおいて、台金の中心から所定半径の円環状部分に、幅の狭い棒状の図柄と幅の広い棒状の図柄を組み合わせた図柄からなり、チップソーが所定の回転数の時にその回転状態を指示する回転状態指示手段を設けたことを特徴とする。
【０００６】
また、請求項２記載のチップソーは、円盤状の台金の外周縁に形成された刃部にチップがロウ付け固定された刈払機用のチップソーにおいて、台金の中心から所定半径の円環状部分に、幅の狭い開口部と幅の広い開口部を交互に有する複数の開口部からなり、チップソーが所定の回転数の時にその回転状態を指示する回転状態指示手段を設けたことを特徴とし、請求項３記載のチップソーは、円盤状の台金の外周縁に形成された刃部にチップがロウ付け固定された刈払機用のチップソーにおいて、台金の中心から所定半径の円環状部分に、複数の開口部に埋め込まれた着色された樹脂からなり、チップソーが所定の回転数の時にその回転状態を指示する回転状態指示手段を設けたことを特徴とする。また、円盤状の台金の外周縁に形成された刃部にチップがロウ付け固定された刈払機用のチップソーにおいて、台金の中心から所定半径の円環状部分に、チップソーの下限の常用回転数と上限の常用回転数をそれぞれ指示する複数列の図柄からなる回転状態指示手段を設けたことを特徴とする。
【０００７】
【作用】
まず、請求項１記載の刈払機用のチップソーによれば、台金の中心から所定半径の円環状部分に、幅の狭い棒状の図柄と幅の広い棒状の図柄を組み合わせた図柄からなる回転状態指示手段を設ける。この回転状態指示手段でチップソーが所定の回転数で回転している時に、円環状部分に図柄が停止した状態となることから、作業者が刈払い作業時に、チップソーの回転状態を容易に把握することができる。そして、正常な回転状態が指示されていない場合は、刈払機のエンジンの出力を調整して、所定の回転数に設定する。これにより、エンジンの性能に合った正常な回転数で刈払い作業を行うことができ、エンジンへの負担が軽減されると共に、燃料の無駄の発生が防止される。
【０００８】
また、請求項２記載のチップソーによれば、台金の円環状部分に幅の狭い開口部と幅の広い開口部を交互に有する複数の開口部を設け、この開口部の形状によって、回転状態が指示され、請求項３に記載のチップソーによれば、開口部に埋め込まれた着色樹脂によって、回転状態が指示される。また、請求項４に記載のチップソーによれば、台金の円環状部分に設けられた上限常用回転数と下限常用回転数をそれぞれ指示する複数列の図柄からなる回転状態指示手段によって、チップソーの回転状態が指示される。
【００１０】
【実施例】
以下、本発明の一実施例を図面に基づいて詳細に説明する。
図１は、本発明に係わる刈払機用のチップソーの第１の実施例を示す平面図である。図１において、チップソー１は、円盤状の台金２を有している。この台金２は、例えばＳＫ材、ＳＫＳ材等の鋼板で円盤状に形成され、その中心部には、図示しない刈払機への取付孔３が穿設されている。また、台金２の外周部には、複数個の刃部４が形成され、この刃部４には、超硬合金からなるチップ５がそれぞれロウ付け固定されている。
【００１１】
台金２の貫通孔３と刃部４との間の円環状部分７には、例えば黒色の図柄８が印刷されている。この図柄８は、比較的の幅の狭い棒状の図柄８ａと、幅の広い棒状の図柄８ｂを適宜に組み合わせた、バーコード式の図柄で形成されている。この図柄８は、チップソー１が所定の回転数の時に、例えば各図柄８ａ、８ｂが停止して見える如く設定されている。
【００１２】
次に、このチップソー１の使用方法について、説明する。まず、チップー１を刈払機の先端の回転軸（図示せず）に、取付孔３を嵌合させて取り付け、刈払機のエンジンを始動させ、チップソー１を回転させる。この状態においては、チップソー１の棒状の図柄８ａ、８ｂは移動する如く視認される。
【００１３】
そして、エンジンの回転数を徐々に上昇させ、その回転数が、常用回転数の範囲内になると、チップソー１に設けた各棒状の図柄８ａ、８ｂが停止しているように視認される。作業者がこの状態を視認したら、正常な回転状態として、エンジンの条件を設定し、刈払い作業を行う。
【００１４】
なお、この実施例において、棒状の図柄８ａ、８ｂを、正常回転時に連続して一本の黒い輪に視認されるように、設定しても良い。また、図柄８も２種類の棒状の図柄８ａ、８ｂに限らず、例えば３種類以上の棒状の図柄を使用しても良いし、他の適宜の形状の図柄８を使用したり、各図柄８に他の色彩を施すこともできる。
【００１５】
このように、上記実施例においては、チップソー１の図柄８が、所定回転数の時に、停止したり一本の輪に視認されるため、この図柄８によりチップソー１の回転状態を容易に把握することができる。これにより、常用回転数より極端に高い回転数でエンジンを回転させて作業することがなくなり、エンジンへの負担が軽減されると共に、燃料の無駄の発生が防止される。
【００１６】
図２は、本発明に係わるチップソー１の第２の実施例を示す平面図である。この実施例の特徴は、台金２の円環状部分７に、複数個の開口部９を穿設した点にある。すなわち、円環状部分７に、比較的幅の狭い放射状の開口部９ａと、幅の広い放射状の開口部９ｂを交互に穿設する。この開口部９ａ、９ｂにより、チップソー１の回転時に、円環状部分７に白い輪が視認される等、上記第１の実施例と同様の作用効果が得られる。なお、この実施例において、開口部９の形状等は適宜に変更し得る。
【００１７】
図３は、本発明に係わるチップソー１の第３の実施例を示す平面図である。この実施例は、円環状部分７に複数個の放射状の開口部１０を穿設すると共に、この開口部１０に着色された樹脂１１を埋め込んだものである。すなわち、例えば円環状部分に４個の放射状の開口部１０を穿設し、この開口部１０に、例えば射出成形により、所定の色が得られる合成樹脂１１を、台金の厚さ（例えば１．２５ｍｍ）より若干厚く（例えば３．２５ｍｍ）して埋め込む。
【００１８】
この樹脂１１の色と台金２の色の相違により、チツプソー１が回転すると、円環状部分７に所定の模様が指示される等、上記第１の実施例と同様の作用効果が得られる。なお、この実施例において、開口部１０に埋め込まれる樹脂１１の色を複数色にしても良く、また、開口部１０の形状を異ならせても良い。
【００１９】
図４は、本発明に係わるチップソー１の第４の実施例を示す平面図である。この実施例は、円環状部分７に２列の図柄１２、１３を配設したものである。すなわち、円環状部分７の中心側に、下限の常用回転数を指示する、例えば棒状の図柄１２ａ、１２ｂを設け、円環状部分７の外周縁側に、上限の常用回転数を指示する、例えば棒状の図柄１３ａ、１３ｂを設ける。
【００２０】
この２列の図柄１２、１３により、チップソー１の回転数が常用回転数の範囲内にあることが容易に視認でき、上記第１の実施例と同様の作用効果が得られる。この実施例において、図柄１２、１３を３列以上の複数列の形成しても良いし、上記各実施例における、図柄８や開口部９、１０等を適宜組み合わせることもできる。
【００２１】
なお、上記各実施例における図柄等は、一例であって、図柄の形状、色彩、個数及びその配列等を、適宜に設定及び組み合わせることにより、チップソーの回転状態を所定の模様、色彩等で指示させる等、本発明の要旨を逸脱しない範囲において、種々変更可能であることは言うまでもない。
【００２２】
【発明の効果】
以上詳述したように、本発明の刈払機用のチップソーあっては、円環部分に設けた図柄等により、チップソーの回転状態を容易に把握することができ、必要以上の高回転によるエンジンへの負荷の増加や、燃料の無駄の発生が防止される等の効果を奏する。
【図面の簡単な説明】
【図１】本発明に係わる刈払機用のチップソーの第１の実施例を示す平面図
【図２】本発明に係わる刈払機用のチップソーの第２の実施例を示す平面図
【図３】本発明に係わる刈払機用のチップソーの第３の実施例を示す平面図
【図４】本発明に係わる刈払機用のチップソーの第４の実施例を示す平面図
【符号の説明】
１  チップソー
２  台金
３  取付孔
４  刃部
５  チップ
７  円環状部分
８、８ａ、８ｂ  図柄
９、１０  開口部
１１  樹脂
１２、１３、１２ａ、１２ｂ、１３ａ、１３ｂ  図柄
【図１】
0003542043.tif 000002
【図２】
0003542043.tif 000003
【図３】
0003542043.tif 000004
【図４】
0003542043.tif 000005